(57)【特許請求の範囲】
【請求項１】
ガイドと、該ガイドに摺動可能に係合するスライダが設けられたスライダベースと、下部が前記スライダベースと対向するように配設され、前記スライダベースに取付けられたガラスとを具備するウインドレギュレータにおいて、
前記スライダベースの周縁の全周にわたって、前記ガラス方向に連続的に折曲し、前記ガラスに当接する折り曲げ部を形成し、
該折り曲げ部に前記ガラスの下端面が当接するガラス仮置き部を形成したことを特徴とするウインドレギュレータ。
【請求項２】
前記折り曲げ部に前記ガラスの下端面が当接するガラス仮置き部を形成したことを特徴とする請求項１記載のウインドレギュレータ。
【発明の詳細な説明】
【０００１】
【発明の属する技術分野】
本発明は、ガイドと、該ガイドに摺動可能に係合するスライダが設けられたスライダベースと、下部が前記スライダベースと対向するように配設され、前記スライダベースに取付けられたガラスとを具備するウインドレギュレータに関する。
【０００２】
【従来の技術】
次に、図面を用いて従来例を説明する。図８は従来のウインドレギュレータの構成図、図９は図８における切断線Ａ−Ａにおける断面図である。
【０００３】
図を用いてドアのアウタパネルとインナパネル間の隙間に設けられるウインドレギュレータの全体構成を説明する。図において、１はガラス、２はドアインナパネル上部に取付けられたアッパベース、３はドアインナパネル下部に取付けられたロアベースである。
【０００４】
アッパベース２にはターンガイド４が、ロアベース３にはターンガイド５がそれぞれ回転可能に取付けられている。
６は上端部がアッパベース２に取付けられ、下端部がロアベース３に取付けられ、ガラス１の昇降方向に沿って設けられた中空で断面形状が略矩形のガイドである。
【０００５】
このガイド６のドアのアウタパネルと対向する面には、ガイド６の軸方向に沿ってスリット６ａが形成されている。
ガラス１の下部にはスライダベース７がスライダベース７に形成された三ヵ所の取り付け穴７ｇ，７ｈ，７ｉを用いて固着されている。更に、このスライダベース７には、ガイド６のスリット６ａを介してガイド６内に延出し、ガイド６に対して摺動可能に係合する配設される樹脂スライダ８，９が射出成形法等の手法により取付けられている。
【０００６】
ドアのインナパネルには、モータユニット１０が取付けられている。このモータユニット１０内には、モータ１１によって回転駆動されるドラム１２が回転可能に配設されている。
【０００７】
ドラム１２には、一端部がアッパベース２のターンガイド４を介してスライダベース７のワイヤエンドケース１４に固着され、他端部がロアベース３のターンガイド５を介してスライダベース７のワイヤエンドケース１４に固着されたフレキシブルワイヤ１３のインナワイヤ１３ａが巻き掛けられている。
【０００８】
また、１３ｂは一端部がアッパベース２に取付けられ、他端部はモータユニット１０に取付けられ、内部をインナワイヤ１３ａが挿通し、インナワイヤ１３ａをガイドする第１のアウタケーブル、１３ｃは一端部はロアベース３に取付けられ、他端部はモータユニット１０に取付けられ、内部をインナワイヤ１３ａが挿通し、インナワイヤ１３ａをガイドする第２のアウタケーブルである。
【０００９】
次に、上記構成の作動を説明する。モータ１１がドラム１２を回転駆動すると、フレキシブルワイヤ１３のインナワイヤ１３ａの一方側はドラム１２に巻き取られ、フレキシブルワイヤ１３ｂのインナワイヤ１３ａの他方側はドラム１２から繰出される。このフレキシブルワイヤ１３のインナワイヤ１３ａの移動により、フレキシブルワイヤ１３のインナワイヤ１３ａの両端部が固着されたスライダベース７はガイド６に沿って移動し、ガラス１が昇降する。
【００１０】
【発明が解決しようとする課題】
上記構成のウインドレギュレータが設けられた車両が高速走行を行なうと、車両外部に露出したガラス１に負圧が作用する。ここで、ウインドレギュレータのガラスの支持剛性が低いと、ガラスが車両外部へ変形する現象（以下、この現象を「ガラスの吸出され」という）が発生する。
【００１１】
ウインドが全閉状態で、この「ガラスの吸出され」が発生すると、ガラスと車体との間に生じる隙間から、ロードノイズやエンジン騒音等の車外騒音が車内に侵入する問題点がある。
【００１２】
更に、車内外の圧力差により、空調された車内の空気が車外へ吸出され、エアコンディショナや空気清浄器等の空調装置の性能が低下したり、車内の空気が車外へ吸出される時に発生する風切り音が発生する問題点もある。
【００１３】
このような「ガラスの吸出され」を防止するためには、ウインドレギュレータの構成部品の剛性を上げることが必要である。
上記構成のウインドレギュレータでのスライダベース７では、剛性を高めるために、図１０に示すように、スライダベース７の周縁に折り曲げ部７ａ，７ｂ，７ｃや、ビード（ｂｅａｄ：突起）部７ｄ，７ｅを形成している。
【００１４】
そして、折り曲げ部に関しては、スライダベース７とガラス１とをできるだけ近づけて取付け、スライダベース７とガラス１との間に発生するモーメントをできるだけ小さくするという観点より、折り曲げ部７ａ，７ｃはガラス１と反対方向、即ち、ガイド６方向に曲げている。
【００１５】
しかし、スライダベース７の上部及び下部では、ガイド６方向に折曲した折り曲げ部を形成すると、ガイド６と干渉するので、スライダベース７の下部にのみ、ガラス１の下端面が当接するガラス仮置き部として機能する折り曲げ部７ｂを形成している。
【００１６】
しかし、折り曲げ部はスライダベース７の周縁全周にわたって連続して設けることが好ましく、このように、スライダベース７の箇所により、異なる方向の折り曲げ部が形成され、スライダベース７の上部のように、折り曲げ部自体が形成できず、スライダベース７の全周にわたって不連続な折り曲げ部しかできないと、充分な剛性を確保できない問題点がある。
【００１７】
本発明は、このような問題点に鑑みてなされたもので、その目的は、ガラスの支持剛性が向上するウインドレギュレータを提供することにある。
【００１８】
【課題を解決するための手段】
上記課題を解決する本発明は、ガイドと、該ガイドに摺動可能に係合するスライダが設けられたスライダベースと、下部が前記スライダベースと対向するように配設され、前記スライダベースに取付けられたガラスとを具備するウインドレギュレータにおいて、前記スライダベースの周縁の全周にわたって、前記ガラス方向に連続的に折曲し、前記ガラスに当接する折り曲げ部を形成し、該折り曲げ部に前記ガラスの下端面が当接するガラス仮置き部を形成したものである。
【００１９】
スライダベースの周縁の全周にわたって、ガラス方向に連続的に折曲し、ガラスに当接する折り曲げ部を形成したことにより、スライダベースの剛性が上がり、ガラスの支持剛性が上がる。
【００２０】
該折り曲げ部に前記ガラスの下端面が当接するガラス仮置き部を形成したことにより、スライダベースとガラスの結合作業が簡単になる。
【００２１】
【発明の実施の形態】
次に図面を用いて本発明の実施の形態を説明する。図１は本実施の形態例のウインドレギュレータの構成図、図２は図１における切断線Ｂ−Ｂにおける断面図である。
【００２２】
図を用いてドアのアウタパネルとインナパネル間の隙間に設けられるウインドレギュレータの全体構成を説明する。図において、２１はガラス、２２はドアインナパネル上部に取付けられたアッパベース、２３はドアインナパネル下部に取付けられたロアベースである。
【００２３】
アッパベース２２にはターンガイド２４が、ロアベース２３にはターンガイド２５がそれぞれ回転可能に取付けられている。
２６は上端部がアッパベース２２に取付けられ、下端部がロアベース２３に取付けられ、ガラス２１の昇降方向に沿って設けられた中空で断面形状が略矩形のガイドである。
【００２４】
このガイド２６のドアのアウタパネルと対向する面には、ガイド２６の軸方向に沿ってスリット２６ａが形成されている。
ガラス２１の下部にはスライダベース２７がスライダベース２７に形成された三ヵ所の取り付け穴２７ｃ，２７ｄ，２７ｅを用いて固着されている。更に、このスライダベース２７には、ガイド２６のスリット２６ａを介してガイド２６内に延出し、ガイド２６に対して摺動可能に係合する配設される樹脂スライダ２８，２９が射出成形法等の手法により取付けられている。
【００２５】
ドアのインナパネルには、モータユニット３０が取付けられている。このモータユニット３０内には、モータ３１によって回転駆動されるドラム３２が回転可能に配設されている。
【００２６】
ドラム３２には、一端部がアッパベース２２のターンガイド２４を介してスライダベース２７のワイヤエンドケース３４に固着され、他端部がロアベース２３のターンガイド２５を介してスライダベース２７のワイヤエンドケース４４に固着されたフレキシブルワイヤ３３のインナワイヤ３３ａが巻き掛けられている。
【００２７】
また、３３ｂは一端部がアッパベース２２に取付けられ、他端部はモータユニット３０に取付けられ、内部をインナワイヤ３３ａが挿通し、インナワイヤ３３ａをガイドする第１のアウタケーブル、３３ｃは一端部はロアベース２３に取付けられ、他端部はモータユニット３０に取付けられ、内部をインナワイヤ３３ａが挿通し、インナワイヤ３３ａをガイドする第２のアウタケーブルである。
【００２８】
本実施の形態例のウインドレギュレータと従来のウインドレギュレータとの相違点は、スライダベース２７である。図３は図１に示すスライダベースを説明する図である。
【００２９】
本実施の形態例のスライダベース２７には、周縁の全周にわたって、ガラス２１方向に連続的に折曲し、ガラス２１に当接する折り曲げ部２７ａを形成した。更に、スライダ２７の下部の折り曲げ部２７ａには、ガラス２１の下端面が当接するガラス仮置き部２７ｂも形成した。
【００３０】
また、スライダベース２７には、ガラス２１方向に突出するビード２７ｆが形成されている。尚、ビード２７ｆの深さは折り曲げ部２７ａの高さより低く設定した。
【００３１】
次に、上記構成の作動を説明する。モータ３１がドラム３２を回転駆動すると、フレキシブルワイヤ３３のインナワイヤ３３ａの一方側はドラム３２に巻き取られ、フレキシブルワイヤ３３ｂのインナワイヤ３３ａの他方側はドラム３２から繰出される。このフレキシブルワイヤ３３のインナワイヤ３３ａの移動により、フレキシブルワイヤ３３のインナワイヤ３３ａの両端部が固着されたスライダベース２７はガイド２６に沿って移動し、ガラス２１が昇降する。
【００３２】
上記構成によれば、スライダベース２７の周縁の全周にわたって、ガラス２１方向に折曲し、ガラス２１に当接する折り曲げ部２７ａを形成したことにより、スライダベース２７の剛性が上がり、ガラス２１の支持剛性が上がる。
【００３３】
また、折り曲げ部２７ａにガラス２１の下端面が当接するガラス仮置き部２７ｂを形成したことにより、スライダベース２７とガラス２１の結合作業が簡単になる。
【００３４】
更に、ビード２７ｆはガラス２１方向に突出し、スライダベース２７のガイド２６方向の面上には突出する部位が全くないので、サイド金型との干渉を考慮せずに形成でき、剛性アップに効果的な形状を採用することができる。更に、樹脂のスライダ２８，２９を形成する金型も、ビードの干渉を考慮しなくてよいので、金型構造を簡単にすることができる。
【００３５】
尚、本発明は、上記実施の形態例に限定するものではない。上記実施の形態例では、折り曲げ部２７ａは図４（ａ）に示すように、基部に対して略直交する壁面のみであったが、図４（ｂ）から（ｄ）に示すような形状の折り曲げ部２７ｃ，２７ｄ，２７ｅであってもよい。
【００３６】
即ち、図４（ｂ）から（ｄ）の形状のように、２ヵ所の曲げ部を形成することにより、折り曲げ部の高さ（ｈ）精度を向上するさせることができる。
【００３７】
【実施例】
本願発明者は、下記のような実験を行ない、本願発明の効果を確認した。
図５は本実験に用いたスライダベースの形状を説明する図、図６は図５における寸法を説明する図である。
【００３８】
図５，図６に示す二種類のスライダベース、即ち、従来品は図１０に示すような形状のスライダベース、本願発明品は図３に示すようなスライダベースで、ガイド，ガラス等の他の構成部品は同一なウインドレギュレータを用いて、剛性を計測した。尚、スライダベースは同一高さにセットしている。
【００３９】
そして、ガラス平面に対して垂直な方向（Ｗ方向、図１において紙面に対して垂直な方向）と、ガラスに対して車両の進行方向（Ｌ方向、図１において矢印Ｌ方向）とに１２ｋｇｆの荷重を加え、ガラスの変位を測定した。
【００４０】
その結果を図７に示す。図７からわかるように、板厚が従来品と比べて薄いにもかかわらず、本願発明のスライダベースの方が、変位量が小さく、ガラスの支持剛性がアップしていることが確認された。
【００４１】
【発明の効果】
以上述べたように本発明によれば、ガイドと、該ガイドに摺動可能に係合するスライダが設けられたスライダベースと、下部が前記スライダベースと対向するように配設され、前記スライダベースに取付けられたガラスとを具備するウインドレギュレータにおいて、前記スライダベースの周縁の全周にわたって、前記ガラス方向に連続的に折曲し、前記ガラスに当接する折り曲げ部を形成したこといより、スライダベースの剛性が上がり、ガラスの支持剛性が上がる。
【００４２】
また、前記折り曲げ部に前記ガラスの下端面が当接するガラス仮置き部を形成することにより、この仮置き部にガラスの下端部を置き、スライダベースとガラスの結合作業が簡単になる。
【図面の簡単な説明】
【図１】本実施の形態例のウインドレギュレータの構成図である。
【図２】図１における切断線Ｂ−Ｂにおける断面図である。
【図３】図１におけるスライダベースを説明する図である。
【図４】他の実施の形態例を説明する図である。
【図５】実施例で用いたスライダベースの形状を説明する図である。
【図６】実施例で用いたスライダベースの各部の寸法を説明する図である。
【図７】実施例の実験の結果を示す図である。
【図８】従来のウインドレギュレータの構成図である。
【図９】図８における切断線Ａ−Ａにおける断面図である。
【図１０】図８におけるスライダベースを説明する図である。
【符号の説明】
２１  ガラス
２６  ガイド
２７  スライダベース
２７ａ  折り曲げ部
２８，２９  スライダ
【図１】
0003563524.tif 000002
【図２】
0003563524.tif 000003
【図３】
0003563524.tif 000004
【図４】
0003563524.tif 000005
【図５】
0003563524.tif 000006
【図６】
0003563524.tif 000007
【図７】
0003563524.tif 000008
【図８】
0003563524.tif 000009
【図９】
0003563524.tif 000010
【図１０】
0003563524.tif 000011